(57)【要約】      （修正有）【課題】防水機構の簡素化を図り着脱作業を容易なケーブル保持機構を提供する。【解決手段】電源ケーブル１８と、筐体に設けられ、電源ケーブルが挿通される挿通孔５１と、挿通孔上に配設され、電源ケーブルが挿通されると共に外周面にねじ溝５２ｄが形成された筒部５２ａを有し、挿通孔の周囲に取り付けられる第１のホルダ５２と、弾性体で形成され、第１のホルダと挿通孔周囲の筐体との間に配設されるゴムパッキン５４と、弾性体により形成されると共に電源ケーブルが挿通される貫通孔５５ａが形成され、第１のホルダの筒部を閉塞するように配設されるゴムパッキン５５と、ゴムパッキン５５より剛性を有し、ゴムパッキン５５に重ね合わせて配設されるワッシャ５６と、電源ケーブルが挿通され、第１のホルダとの間にゴムパッキン５５及びワッシャを介在させて第１のホルダの筒部に形成されたねじ溝に締め付けられる第２のホルダ５７とを備える。【選択図】  図１０
2004266162.tif 000002
【特許請求の範囲】
【請求項１】
機器本体と外部とを電気的に接続するケーブルと、
筐体に設けられ、上記ケーブルが挿通される挿通孔と、
上記挿通孔上に配設され、上記ケーブルが挿通されると共に外周面にねじ溝が形成された筒部を有し、上記挿通孔の周囲に取り付けられる第１のホルダと、
弾性体で形成され、上記第１のホルダと上記挿通孔周囲の筐体との間に配設される第１のパッキンと、
弾性体により形成されると共に上記ケーブルが挿通される貫通孔が形成され、上記第１のホルダの筒部を閉塞するように配設される第２のパッキンと、
上記第２のパッキンより剛性を有し、上記第２のパッキンに重ね合わせて配設されるワッシャと、
上記ケーブルが挿通され、上記第１のホルダとの間に上記第２のパッキン及びワッシャを介在させて上記第１のホルダの筒部に形成されたねじ溝に締め付けられる第２のホルダとを備える電子機器。
【請求項２】
上記第２のパッキンの貫通孔の孔径は、上記ケーブルの軸径よりやや小さく形成されている請求項１記載の電子機器。
【請求項３】
上記第２のパッキン及びワッシャは、外周縁と貫通孔とに亘ってスリットが形成されている請求項１記載の電子機器。
【請求項４】
上記ケーブルの先端部にはコネクタが設けられており、
上記第１及び第２のホルダは、上記コネクタが挿通可能な大きさに形成されている請求項１記載の電子機器。
【請求項５】
上記挿通孔は、上記筐体に設けられた凹部の底面に形成され、この凹部の上面は、第１のホルダに締め付けられた第２のホルダより高く形成されている請求項１記載の電子機器。
【請求項６】
上記ケーブルは、電源ケーブルである請求項１記載の電子機器。
【請求項７】
上記ケーブルは、ネットワークケーブルである請求項１記載の電子機器。
【発明の詳細な説明】
【０００１】
【発明の属する技術分野】
本発明は、防水性を備えたケーブルの防水機構を備えた電子機器に関する。
【０００２】
【従来の技術】
監視カメラは、室内や屋外に長期間設置されるものであり、特に、屋外に設置される場合風雨に曝されることから、監視カメラの保護のため、防水する必要がある。そこで、監視カメラは、防水ケースに収納してから所定箇所に設置される。監視カメラの設置時において、防水ケースからは、監視カメラから導出された電源ケーブルを外部に導出する必要がある。そこで、設置時において、設置者が所定の防水機構を用いて防水ケースから電源ケーブルを防水ケース外に導出するようにしている。
【０００３】
【発明が解決しようとする課題】
防水機構は、設置者により取り付けられるため、電源ケーブルの導出部の防水の程度は、設置者の技能等に依存してしまい、仮に、防水が不完全であるときには、防水ケースに収納された監視カメラが湿気で故障してしまうことになる。
【０００４】
本発明は、以上のような問題点に鑑みてなされたものであり、その目的は、筐体のケーブルの導出部に用いられる新規な防水機構を備えた電子機器を提供することにある。
【０００５】
本発明の他の目的は、防水機構の簡素化を図り着脱作業を容易に行うことができるようにすると共に、防水機能を高めた電子機器を提供することにある。
【０００６】
【課題を解決するための手段】
本発明に係る電子機器は、上述した課題を解決すべく、機器本体と外部とを電気的に接続するケーブルと、筐体に設けられ、上記ケーブルが挿通される挿通孔と、上記挿通孔上に配設され、上記ケーブルが挿通されると共に外周面にねじ溝が形成された筒部を有し、上記挿通孔の周囲に取り付けられる第１のホルダと、弾性体で形成され、上記第１のホルダと上記挿通孔周囲の筐体との間に配設される第１のパッキンと、弾性体により形成されると共に上記ケーブルが挿通される貫通孔が形成され、上記第１のホルダの筒部を閉塞するように配設される第２のパッキンと、上記第２のパッキンより剛性を有し、上記第２のパッキンに重ね合わせて配設されるワッシャと、上記ケーブルが挿通され、上記第１のホルダとの間に上記第２のパッキン及びワッシャを介在させて上記第１のホルダの筒部に形成されたねじ溝に締め付けられる第２のホルダとを備える。
【０００７】
【発明の実施の形態】
以下、本発明に係る撮像装置が適用された監視カメラについて、図面を参照して説明する。
【０００８】
図１に示すように、本発明を適用した監視カメラ１０は、屋外に設置されるものであって、倉庫等の建物１の外壁２の屋根近傍の上部に設置され、設置位置から斜め下方を広範に撮影する。
【０００９】
具体的に、この監視カメラ１０は、図２及び図３に示すように、略矩形の本体部１１と、この本体部１１の前方に設けられる撮像部１２と、本体部１１及び撮像部１２の上側に設けられる天井部１３と、本体部１１及び撮像部１２の下側に設けられる底面部１４とを備える。
【００１０】
本体部１１は、略矩形に形成され、背面側は、建物１の外壁２に設置できるように略面一をなすように形成されている。この本体部１１内には、主として、監視カメラ１０の全体を制御する制御回路部等が内蔵されている。
【００１１】
本体部１１の前方に設けられる撮像部１２は、本体部１１と一体的に設けられる光透過性の合成樹脂板等からなる光透過部１５が設けられ、内部に、撮像機器１６として、ＣＣＤ（Ｃｈａｒｇｅ−Ｃｏｕｐｌｅｄ  Ｄｅｖｉｃｅｓ）等で構成されたディジタルスチルカメラが収納されている。この撮像機器１６は、遠方の被写体を拡大して撮影することができるようにズーム機能を有している。ズーム機能を有した撮像機器１６は、画角が小さい。そこで、撮像部１２内には、図示しないが撮像機器１６をパン方向及び／又はチルト方向に回動させるためのパン及び／又はチルト機構が設けられている。光透過部１５は、パン及び／又はチルト機構により可動される撮像機器１６の上下左右の撮影可能範囲をできる限る大きくすることができるように、略球面をなすように形成されている。
【００１２】
例えば図４に示すように、監視カメラ１０は、パン及び／又はチルト機構を用いて撮像機器１６を可動することによって、例えば左側から右側に向かって１〜ｉ枚撮影し、更に上側から下側に向かって１〜ｊ枚撮影する。そして、監視カメラ１０は、画像表示装置に出力し、１〜ｉ及び１〜ｊまでの画像をマトリクス状に整列させて一度に表示する。監視カメラ１０は、このように撮影した画像を経時的に整列することで、看者が画像の変化を容易に識別することができるようにしている。
【００１３】
なお、撮像機器１６としては、ディジタルスチルカメラの他に、アナログのスチルカメラであってもよく、更には、ディジタル又はアナログのビデオカメラであってもよい。
【００１４】
天井部１３は、図２及び図３に示すように、本体部１１と撮像部１２の上側に設けられ、先端側が略円弧状をなすように形成されている。この天井部１３内には、制御回路部、撮像機器１６、パン及び／又はチルト機構に電力を供給するための電源部が内蔵されている。電源部は、筐体内に内蔵される部品の内で最も熱を発する部分である。電源部から放出される熱気は上方に移動するものであり、そこで、監視カメラ１０は、電源部を天井部１３に配設して、本体部１１内の制御回路部や撮像機器１６より上側に位置させることで、制御回路部や撮像機器１６が熱によって故障しないようにしている。また、天井部１３の先端部は、光透過部１５の基端部より張り出し形成されており、光透過部１５の屋根部となっている。
【００１５】
底面部１４は、本体部１１と撮像部１２の下側に設けられ、天井部１３と同様に、先端側が略円弧状をなすように形成されている。底面部１４は、例えば設置台に設置されるとき、その監視カメラ１０の支持台として機能する。また、底面部１４の先端部も、天井部１３と同様に、光透過部１５の基端部より張り出し形成されており、下方より異物が光透過部１５に付着しないようにするガードとなっている。
【００１６】
底面部１４の背面側コーナ部には、凹部１７が設けられている。この凹部１７からは、天井部１３に配設される電源部に電気的に接続される電源ケーブル１８が外部に導出されると共に、本体部１１に配設される制御回路部に電気的に接続されるネットワークケーブル１９が外部に導出される。
【００１７】
なお、凹部１７からは、更に、内部の熱を外部に放出するための熱放出部材を導出するようにしてもよい。
【００１８】
ところで、このような監視カメラ１０は、本体部１１内の制御回路部や天井部１３の電源部や電源ケーブル１８の修理交換の必要が生じるときがある。また、監視カメラ１０を建物２の外壁３に設置するときにコンセントまでが遠く既設の電源ケーブルの長さが不足するため、長い電源ケーブルに交換する必要が生じるときがある。このような作業のときのため、本体部１１は、図５に示すように、本体部１１の外筐の一部を構成する背面パネル２１と天井部１３の外筐の一部を構成する天板パネル２２を容易に着脱することができるように構成されている。
【００１９】
図６及び図７に示すように、本体部１１には、ベース２３とベース２３に回動可能に取り付けられる第１の回動支持板２４とが内蔵される。ベース２３は、図７に示すように、板金等の略矩形をなす板状体であり、一方の短辺に、底面部１４に対して略垂直に固定するための複数の固定片２５が設けられている。各固定片２５には、図示しないが貫通孔が穿設されており、ベース２３は、固定片２５の貫通孔に止めねじを挿通させて底面部１４に固定される。ベース２３には、底面部１４側に、支持片２６が設けられている。支持片２６には、監視カメラ１０の制御回路部等が組み込まれる第１の回動支持板２４が回動可能に取り付けられる。
【００２０】
第１の回動支持板２４は、板金等で略矩形をなすように形成され、一方の短辺側に、突片２７が設けられている。第１の回動支持板２４は、ベース２３の支持片２６と突片２７とを重ね合わせ各片に穿設された軸穴に止めねじ２８を挿通することによって、ここを回動支点として、ベース２３に対して回動可能に支持される。
【００２１】
第１の回動支持板２４には、監視カメラ１０の全体を制御するための制御回路部２９が設けられる。具体的に、制御回路部２９は、一又は複数のプリント配線基板２９ａに、ＣＰＵ（Ｃｅｎｔｒａｌ  Ｐｒｏｃｅｓｓｉｎｇ  Ｕｎｉｔ）、メモリ等の電子部品が実装されると共に、ネットワークゲーブルが接続されるジャック２９ｂ等が実装されてなる。
【００２２】
また、ベース２３には、天井部１３側の他方の短辺に、電源部が組み込まれる第２の回動支持板３１を回動可能に支持する支持片３２が設けられている。第２の回動支持板３１は、板金等で略矩形をなすように形成され、本体部１１側の短辺側であって撮像部１２側に、図示しない突片が設けられている。第２の回動支持板３１は、ベース２３の支持片３２と突片とを重ね合わせ各片に穿設された軸穴に止めねじ３４を挿通することによって、ここを回動支点として、ベース２３に対して回動可能に支持される。
【００２３】
第２の回動支持板３１に配設される電源部は、天井部１３に配設されるものであるから、ベース２３に対する第２の回動支持板３１の回動領域を規制する必要がある。そこで、第１の回動支持板２４には、第２の回動支持板３１の回動領域を、ベース２３に対して略垂直な状態からベース２３に略連続する状態にするための長穴のガイド孔３５が設けられ、第２の回動支持板３１には、一方の短辺側であって天板パネル２２側に形成された突片３６ａに設けられた突起状のガイド部３６が係合される。ガイド孔３５は、第１の回動支持板２４の天井部１３側の長手方向両側縁に形成された立ち上がり片３５ａに、第２の回動支持板３１のガイド部３６が回動するように上下方向に形成されていると共に、ガイド部３６で第１の回動支持板３１をベース２３から離間する方向に回動できるように、背面パネル２１側に膨出するように湾曲して形成されている。
【００２４】
以上のようにベース２３に回動可能に取り付けられる第２の回動支持板３１には、電源部３７が設けられる。電源部４には、外部から電力を供給する電源ケーブル１８の第１のコネクタ１８ａが電気的に接続される図示しない電源ジャックが設けられている。電源部３７に設けられる電源ジャックは、第１のコネクタ１８ａが所定の姿勢でのみ電気的に接続可能とされており、第１のコネクタ１８ａは、第２の回動支持板３１がベース２３に対して略垂直な状態にあるとき、電源コード１８が本体部１１の前方に導出する姿勢でのみ電源ジャックに装着される。
【００２５】
ところで、本体部１１の外筐の一部を構成する背面パネル２１は、図５に示すように、本体部１１の背面及び両側面を覆うように断面略コ字状に形成されており、監視カメラ１０の背面となる面の各コーナ部近傍に貫通孔４１が穿設されている。一方、本体部１１の背面の一部を構成する底面部１４には、両側に、本体部１１側に突出して取付片４２が突設され、取付片４２には、取付孔４２ａが穿設されている。
【００２６】
天板パネル２２は、略円弧状の先端部と長辺の中程に貫通孔４３が穿設されている。また、天板パネル２２の背面側には、背面パネル２１が取り付けられる接続片４４が突設されており、この接続片４４には、取付孔４４ａが穿設されている。一方、光透過部１５の周囲に設けられる外筐の一部を構成する張り出し片４６の内側であって電源部３７の周囲には、天板パネル２２を固定するための止め部４５が貫通孔４３に対応して設けられている。各止め部４５には、ねじ孔４５ａが穿設されている。なお、張り出し片４６は、光透過部１５の周縁部と天板パネル２２及び背面パネル２１との間を閉塞するためのものであり、光透過部１５とで略谷を形成するように光透過部１５の基端から外側に張り出して形成されている。
【００２７】
背面パネル２１と天板パネル２２とを組み付けるには、図５に示すように、先ず、天板パネル２２が電源部３７を覆うように天井部１３に取り付けられ、止めねじ４７を貫通孔４３を挿通させ、止め部４５のねじ孔４５ａに締め付けることによって固定される。このとき、張り出し片４６と天板パネル２２との間には、防水性を高めるために、図示しないゴムパッキンが介在される。次いで、背面パネル２１が制御回路部２９を覆うように本体部１１に取り付けられ、止めねじ４８を貫通孔４１に挿通させ、底面部１４の取付片４２の取付孔４２ａに締め付けると共に天板パネル２２の接続片４４の取付孔４４ａに締め付けることによって固定される。このときも、背面パネル２１と張り出し片４６との間に、防水性を高めるために、ゴムパッキンが介在される。
【００２８】
ところで、背面パネル２１が本体部１１に取り付けられ、天板パネル２２が天井部１３に取り付けられているとき、本体部１１の制御回路部２９が設けられた第１の回動支持板２４と天井部１３の電源部３７が設けられた第２の回動支持板３１とは、図７に示すような状態にある。すなわち、第１の回動支持板２４は、ベース２３に近接する方向に回動し、ベース２３と略平行な状態にあり、制御回路部２９を本体部１１に収納した状態にある。また、ベース２３に回動可能に指示されている第２の回動支持板３１は、ベース２３に対し略垂直な状態にあり、電源部３７を天井部１３に収納した状態にある。このとき、第１のコネクタ１８ａは、電源ケーブル１８が本体部１１の前方に導出する姿勢でのみ電源ジャックに装着されており、電源ケーブル１８の基端部は、光透過部１５の周囲に設けられている張り出し片４６の内側に位置している。
【００２９】
監視カメラ１０を建物１の外壁２の所定位置に設置するときに、コンセントが遠くにあり、既設の電源ケーブル１８の長さでは足りないときには、長い電源ケーブル１８に交換する必要がある。このように、電源ケーブル１８を交換する場合、制御回路部２９や電源部３７のメンテナンスを行う場合等には、背面パネル２１の止めねじ４８を取り外して、背面パネル２１を本体部１１より取り外し、次いで、天板パネル２２より止めねじ４７を取り外して、天板パネル２２を天井部１３より取り外し、制御回路部２９と電源部３７とを露出させる。
【００３０】
図７に示すように、背面パネル２１を本体部１１より取り外し天板パネル２２を天井部１３より取り外した状態において、電源ケーブル１８の第１のコネクタ１８ａは、電源ケーブル１８の基端部を前方に導出する姿勢で装着されている。このため、電源ケーブル１８の基端部は、外筐の一部を構成する張り出し片４６の内側に隠れた状態にあり、第１のコネクタ１８ａの着脱を非常に行いにくい状態にある。そこで、電源ケーブル１８の交換を行う場合には、図７及び図８に示すように、電源ケーブル１８が接続されている電源部３７が設けられた第２の回動支持板３１を背面側、すなわち図７及び図８中矢印Ｄ１方向に回動する。すなわち、第１の回動支持板２４のガイド孔３５に係合されている第２の回動支持板３１のガイド部３６は、ベース２３に対して略垂直な初期状態のとき、第１の回動支持板２４のガイド孔３５の天板パネル２２側の上端に係合した状態にある。この初期状態から第２の回動支持板３１を図７及び図８中矢印Ｄ１方向に回動すると、第２の回動支持板３１のガイド部３６は、第２の回動支持板３１が回動するに従って、ガイド孔３５の上端部から底面部１４側の下端部に移動すると共に、第１の回動支持板２４を背面パネル２１側に押圧し、第１の回動支持板２４を、ベース２３から離間する図７及び図８中矢印Ｄ２方向に回動する。これによって、図８に示すように、第１の回動支持板２４は、ベース２３から離間した状態となり、第２の回動支持板３１は、ガイド部３６がガイド孔３５の下端部に移動することによって、ベース２３から離間した第１の回動支持板２４と連続するように略９０度、図７及び図８中矢印Ｄ２方向に回動した状態となる。
【００３１】
本体部１１の上方は、監視カメラ１０の構成部品が存在しない領域である。電源部３７のジャックに装着されている電源ケーブル１８の第１のコネクタ１８ａは、張り出し片４６に隠れた状態から本体部１１の上方に移動し、電源ケーブル１８の基端部が上方に向かって導出した状態となることで、ユーザが第１のコネクタ１８ａの着脱を容易に行うことができる状態となる。
【００３２】
なお、電源部３７が設けられた第２の回動支持板３１を図８の状態から図７の状態に戻す場合には、電源部３７が設けられた第２の回動支持板３１を図８及び図７中反矢印Ｄ１方向に回動すればよい。これによって、制御回路部２９が設けられている第１の回動支持板２４は、ガイド部３６がガイド孔３５の下端部から上端部に移動し、第１の回動支持板２４をベース２３の方向に引き寄せ、ベース２３と略平行な状態となる。これと共に、第２の回動支持板３１は、ベース２３に対して略垂直な状態となり、背面パネル２１や天板パネル２２が取り付け可能な状態となる。
【００３３】
また、ネットワークケーブル１９は、制御回路部２９の側面に設けられているものであるから、図７の状態、図８の状態の何れの状態であっても、ネットワークケーブル１９のコネクタの着脱を行うことができる。
【００３４】
ところで、電源ケーブル１８は、電源部３７のジャックに装着された第１のコネクタ１８ａから図３に示す底面部１４に設けられた凹部１７から外部に導出されている。したがって、電源ケーブル１８を交換する場合、凹部１７から電源ケーブル１８を引き抜く必要がある。その一方で、凹部１７における電源ケーブル１８やネットワークケーブル１９が挿通されている領域は、隙間が発生する場所でもあり、従って、この隙間から内部に水分が浸入する虞がある。そこで、凹部１７では、防水の状態で電源ケーブル１８を保持するようにしている。そして、電源ケーブル１８を交換する場合には、この電源ケーブル１８のケーブル保持機構を外してから行うことになる。
【００３５】
図９に示すように、ケーブル保持機構５０は、底面部１４の背面側コーナ部に設けられた凹部１７に設けられている。この凹部１７には、電源ケーブル１８の導出部と共に、ネットワークケーブル１９の導出部が設けられている。以下、電源ケーブル１８の導出部に設けられるケーブル保持機構とネットワークケーブル１９の導出部に設けられるケーブル保持機構とは、同様な機構を有するため、以下電源ケーブル１８のケーブル保持機構を例に取り説明する。
【００３６】
図１０に示すように、電源ケーブル１８のケーブル保持機構５０は、凹部１７の底面１７ａに形成された挿通孔５１に設けられる。挿通孔５１は、略円形に形成され、電源ケーブル１８の監視カメラ１０に電力を供給するためのコンセントに電気的に接続するための第２のコネクタ１８ｂを少なくとも挿通することができる大きさに形成されている。
【００３７】
凹部１７の底面１７ａには、この挿通孔５１の周囲に、第１のホルダ５２が取り付けられる。第１のホルダ５２は、筒部５２ａと、この筒部５２ａの一端より張り出し形成された取付片５２ｂとを有する。筒部５２ａは、第２のコネクタ１８ｂを少なくとも挿通できる大きさの貫通孔５２ｆを有している。取付片５２ｂは、凹部１７の底面１７ａの挿通孔５１の近傍に設けられた取付孔１７ｂに止めねじ５３を締め付ける際に止めねじ５３が挿通される貫通孔５２ｃが設けられている。筒部５２ａの外周面には、第２のホルダが締め付けられるねじ溝５２ｄが形成されている。また、第１のホルダ５２の凹部１７の底面１７ａと対向する面には、底面１７ａの挿通孔５１に嵌合する環状の嵌合突部５２ｇが形成されている。
【００３８】
第１のホルダ５２の凹部１７の底面１７ａと対向する面には、筒部５２ａの外周側に溝部５２ｅが設けられ、この溝部５２ｅには、第１のパッキンとなるゴムパッキン５４が配設される。ゴムパッキン５４は、例えばＯリングであり、第１のホルダ５２と凹部１７の底面１７ａの間から水分等が浸入することを防止し、凹部１７の底面１７ａと第１のホルダ５２との間の水密性を保持する。
【００３９】
第１のホルダ５２の筒部５２ａは、第２のパッキンとなるゴムパッキン５５により閉塞される。ゴムパッキン５５は、略円盤状に形成され、外径が、筒部５２ａの開口を閉塞することができるように、筒部５２ａの外径よりやや大きく形成され、中央部に電源ケーブル１８が挿通される挿通孔５５ａが形成されている。挿通孔５５ａは、挿通孔５５ａの周面が電源ケーブル１８の外周面に密着するように、電源ケーブル１８の軸径よりやや小さく形成されている。また、ゴムパッキン５５は、外周縁と挿通孔５５ａとに亘ってスリット５５ｂが形成されている。電源ケーブル１８は、ゴムパッキン５５を弾性変位させることによって、スリット５５ｂを介して中央部の挿通孔５５ａに挿通される。
【００４０】
ゴムパッキン５５上には、締め付け時のゴムパッキン５５の捻れ等を防止するワッシャ５６が配設される。ワッシャ５６は、外径がゴムパッキン５５と略同じとなすように形成されており、中央部に、電源ケーブル１８が挿通される挿通孔５６ａが形成され、外周縁と挿通孔５６ａとに亘ってスリット５６ｂが形成されている。ワッシャ５６は、プラスチックで形成されている。このワッシャ５６は、ゴムパッキン５５に対して滑りやすく形成されており、また、全体を変位させることによって、スリット５６ｂを介して中央部の挿通孔５６ａに挿通される。
【００４１】
なお、ワッシャ５６の挿通孔５６ａは、ワッシャ５６が防水を目的とするものではく、ゴムパッキン５５の捻れ防止の他ワッシャ５６の保護を目的とするものであるから、電源ケーブル１８の軸径と略同じ若しくはそれより大きく形成されている。
【００４２】
上述したゴムパッキン５５とワッシャ５６とを介在させて第１のホルダ５２には、第２のホルダ５７が締め付けられる。第２のホルダ５７は、略円筒の周壁５７ａの一端から内周側に向かって押さえ片５７ｂが張り出し形成されている。押さえ片５７ｂは、第１のホルダ５２に第２のホルダ５７が締め付けられるとき、ワッシャ５６を押圧する。押さえ片５７ｂの内側には、電源ケーブル１８の第１のコネクタ１８ａが挿通可能な大きさの開口部５７ｃが形成されている。更に、この周壁５７ａの内周面には、第１のホルダ５２の筒部５２ａの外周面に形成されたねじ溝５２ｄに螺合されるねじ溝５７ｄが形成されている。
【００４３】
以上のように構成されるケーブル保持機構５０の組み付け方法について図１０及び図１１を参照して説明すると、先ず、凹部１７の底面１７ａの挿通孔５１には、上述した電源部３７に電気的に接続された電源ケーブル１８が例えば第２のコネクタ１８ｂを挿入端として挿通され、更に、凹部１７の底面１７ａの挿通孔５１に挿通された電源ケーブル１８は、更に、第１のホルダ５２の筒部５２ａの貫通孔に例えば第２のコネクタ１８ｂを挿入側として挿通される。また、第１のホルダ５２の溝部５２ｅには、ゴムパッキン５４が配設される。この後、第１のホルダ５２は、嵌合突部５２ｇを挿通孔５１に嵌合し、止めねじ５３を、取付片５２ｂの貫通孔５２ｃに挿通し凹部１７の底面１７ａの取付孔１７ｂに締め付けることにより、凹部１７に取り付けられる。第１のホルダ５２が止めねじ５３によって凹部１７の底面１７ａに締め付けられることによって、第１のホルダ５２と凹部１７の底面１７ａとの間のゴムパッキン５４は、圧縮され、第１のホルダ５２と凹部１７の底面１７ａとの間の水密性が確保される。
【００４４】
更に、電源ケーブル１８には、ゴムパッキン５５が取り付けられる。具体的に、電源ケーブル１８は、ゴムパッキン５５を弾性変位させることによってスリット５５ｂを介して挿通孔５５ａに挿通される。更に、電源ケーブル１８には、ゴムパッキン５５に隣接した第２のコネクタ１８ｂ側に、ワッシャ５６が取り付けられる。具体的に、電源ケーブル１８は、ワッシャ５６を弾性変位させることによって、スリット５６ｂを介して挿通孔５６ａに挿通される。
【００４５】
電源ケーブル１８にゴムパッキン５５とワッシャ５６とが取り付けられると、凹部１７の底面１７ａに取り付けられた第１のホルダ５２の筒部５２ａには、筒部５２ａで構成された貫通孔５２ｆを閉塞するように、電源ケーブル１８が取り付けられたゴムパッキン５５が配設され、更に、ゴムパッキン５５に重畳するようにして電源ケーブル１８に取り付けられたワッシャ５６が配設される。
【００４６】
第１のホルダ５２の筒部５２ａ上にゴムパッキン５５とワッシャ５６が重畳した状態で配設されると、第１のホルダ５２の筒部５２ａのねじ溝５２ｄには、第２のホルダ５７のねじ溝５７ｄが螺合される。第１のホルダ５２が第２のホルダ５７に締め付けられると、ワッシャ５６は、第２のホルダ５７の押さえ片５７ｂによって押圧され、これに伴い、ゴムパッキン５５を図１２中Ｆａ方向から押圧し圧縮する。図１２に示すように、ゴムパッキン５５は、ワッシャ５６によって圧縮されることで、第１のホルダ５２の筒部５２ａ内に食い込むと共に、径方向に伸長する。すると、ゴムパッキン５５の挿通孔５５ａは、図１２中Ｆｂ方向に縮径し、挿通孔５５ａの内周面は、電源ケーブルの外周面に圧接される。これによって、電源ケーブル１８の周囲の水密性が確保される。
【００４７】
以上のようなケーブル保持機構５０は、電源部３７に接続される電源ケーブル１８の交換等の作業を行うとき、少なくとも第２のホルダ５７を第１のホルダ５２より取り外し、電源ケーブル１８よりゴムパッキン５５とワッシャ５６を取り外した状態で、凹部１７の底面１７ａに設けられた挿通孔５１及び第１のホルダ５２の筒部５２ａを介して電源ケーブル１８の抜き差しを容易に行うことができる。そして、第１のホルダ５２に第２のホルダ５７がゴムパッキン５５とワッシャ５６を介して取り付けられたときには、ゴムパッキン５５が、第２のホルダ５７が第１のホルダ５２の筒部５２ａに締め付けられたときの押圧力Ｆａによってワッシャ５６を介して圧縮されることで、ゴムパッキン５５の挿通孔５５ａが図１２中Ｆｂ方向に縮径し、挿通孔５５ａの内周面が電源ケーブル１８の外周面に圧接され、電源ケーブル１８の周囲の水密性を確保することができる。また、第１のホルダ５２と凹部１７の底面１７ａとの間は、第１のホルダ５２が凹部１７の底面１７ａに取り付けられた際、ゴムパッキン５４が溝部５２ｅ内で圧縮され底面１７ａに圧接されことで水密性を確保することができる。
【００４８】
更に、第２のホルダ５７が第１のホルダ５２に取り付けられた状態において、第２のホルダ５７の上面５８ｅは、凹部１７の上面１７ｃより低い所に位置する。したがって、凹部１７の上面１７ｃは、ケーブル保持機構５０の屋根部として機能し、直接的に風雨が当たることを防止することができる。
【００４９】
なお、底面１７ａの挿通孔５２、第１のホルダ５２の筒部５２ａの貫通孔５２ｆ、第２のホルダ５７の押さえ片５７ｂの内周側の開口の径は、少なくとも電源ケーブル１８のコネクタ１８ａ、１８ｂの何れか一方のコネクタが挿通できる大きさであれば、上述の例に限定されるものではない。
【００５０】
また、凹部１７におけるネットワークケーブル１９の導出部に用いられるケーブル保持機構は、底面１７ａの挿通孔５１、第１のホルダ５２の筒部５２ａの貫通孔５２ｆ、第２のホルダ５７の押さえ片５７ｂの内周側の開口の径が、ネットワークケーブル１９の少なくとも一方のコネクタが挿通できる大きさであればよい。
【００５１】
以上のように構成された監視カメラ１０は、図１に示すように、略矩形の本体部１１の長手方向の一端側に天板部１３を設け、他端側に底板部１４を設け、天板部１３と底板部１４の間に挟まれた本体部１１の前方に撮像部１２を設けた構成としたので、外壁２に沿って設置することができる。この監視カメラ１０は、屋外に設置されているため外筐が防水され、密閉されているが、図５に示すように、上側の天井部１３に電源部３７を内蔵するようにし、電源部３７より下側の本体部１１に制御回路部２９を内蔵するようにしたので、電源部３７の発する熱によって制御回路部２９が故障することを防止することができる。
【００５２】
また、監視カメラ１０は、設置時等に電源ケーブルを交換する等の作業が必要となったときには、最初に、背面パネル２１の止めねじ４８を取り外して、背面パネル２１を本体部１１より取り外し、次いで、天板パネル２２より止めねじ４７を取り外して、天板パネル２２を天井部１３より取り外し、制御回路部２９と電源部３７とを露出させる構成としたので、制御回路部２９や電源部３７を露出させる作業を簡素化することができる。背面パネル２１と天板パネル２２とを取り外した後、図７及び図８に示すように、電源ケーブル１８が接続されている電源部３７が設けられた第２の回動支持板３１を背面側、すなわち図７及び図８中矢印Ｄ１方向に回動し、第１の回動支持板２４をベース２３から離間した状態とし、第２の回動支持板３１をベース２３から離間した第１の回動支持板２４と連続するように図７及び図８中矢印Ｄ２方向に回動した状態とすることで、張り出し片４６に邪魔されることなく電源部３７のジャックに装着されている電源ケーブル１８の第１のコネクタ１８ａの着脱を容易に行うことができる。
【００５３】
更に、底面部１４の凹部１７の電源ケーブルやネットワークケーブル１９の挿抜を行うときには、図１０及び図１１に示すように、少なくとも第２のホルダ５７を第１のホルダ５２より取り外し、電源ケーブル１７やネットワークケーブル１９よりゴムパッキン５５とワッシャ５６を取り外した状態で、凹部１８の底面１７ａに設けられた挿通孔５１及び第１のホルダ５２の筒部５２ａを介して電源ケーブル１８の抜き差しを容易に行うことができる。このケーブル保持機構５０は、外筐を構成する底面部１４に設けられるものであるから、設置者の技能等に依存することなく、常に確実に防水することができる。
【００５４】
また、このケーブル保持機構５０は、ゴムパッキン５５が、第２のホルダ５７が第１のホルダ５２の筒部５２ａに締め付けられたときの押圧力Ｆａによってワッシャ５６を介して圧縮されることで、ゴムパッキン５５の挿通孔５５ａが図１２中Ｆｂ方向に縮径し、挿通孔５５ａの内周面が電源ケーブル１８の外周面に圧接され、電源ケーブル１８の周囲の水密性を確保することができる。また、第１のホルダ５２と凹部１７の底面１７ａとの間は、第１のホルダ５２が凹部１７の底面１７ａに取り付けられた際、ゴムパッキン５４が溝部５２ｅ内で圧縮され底面１７ａに圧接されことで水密性を確保することができる。
【００５５】
以上、本発明を適用した監視カメラ１０を例に取り説明したが、本発明は、これに限定されるものではなく、例えば携帯型の情報処理装置から導出される電源ケーブル、ネットワークケーブル等のケーブルの導出部に適用することもできる。
【００５６】
【発明の効果】
本発明に係る電子機器によれば、筐体に一体的にも設けられることで、電子機器の設置者の技能等に依存することなく、ケーブルの導出部分における防水をすることができる。具体的に、第１ホルダと筐体との間に第１のパッキンを配することで、この間の水密性を確保することができる。また、第１のホルダの筒部と第２のホルダとの間には、第１のホルダ側に弾性体でなる第２のパッキンが配され、第２のホルダ側にワッシャが配されることで、ワッシャは、第２のホルダが第１のホルダに締め付けられたとき、第２のパッキンの捻れを防止すると共に、第２のパッキンを圧縮し、ケーブルが挿通されている挿通孔を縮径させ、挿通孔の内周面をケーブルの外周面に圧接させる。これにより、ケーブルの周囲の水密性を確保することができる。
【図面の簡単な説明】
【図１】本発明を適用した監視カメラの設置状態を説明する図である。
【図２】上記監視カメラを前面側から見た斜視図である。
【図３】上記監視カメラを背面側から見た斜視図である。
【図４】上記監視カメラの撮影可能領域を説明する図である。
【図５】上記監視カメラの分解斜視図である。
【図６】上記監視カメラの背面パネルと天板パネルを取り外した状態を説明する斜視図である。
【図７】背面パネルと天板パネルが取り付けられているとき又は背面パネルと天板パネルが取り付け可能な状態にあるときの第１の回動支持板と第２の回動支持板を説明する側面図である。
【図８】電源ケーブルのコネクタの着脱を行うときの第１の回動支持板と第２の回動支持板を説明する側面図である。
【図９】電源ケーブルのケーブル保持機構の斜視図である。
【図１０】電源ケーブルの分解斜視図である。
【図１１】電源ケーブルのケーブル保持機構の組立断面図である。
【図１２】ケーブル保持機構のゴムパッキンの作用を説明する断面図である。
【符号の説明】
１０  監視カメラ、１１  本体部、１２  撮像部、１３  天井部、１４  底面部、１５  光透過部、１６  撮像機器、１７  凹部、１７ａ  底面、１７ｂ  取付孔、１７ｃ  上面、１８  電源ケーブル、１８ａ  第１のコネクタ、１８ｂ  第２のコネクタ、２１  背面パネル、２２  天板パネル、２３  ベース、２４  第１の回動支持板、２９  制御回路部、３１  第２の回動支持板、３７  電源部、４６  張り出し片、５０  ケーブル保持機構、５１  挿通孔、５２  第１のホルダ、５４  ゴムパッキン、５５  ゴムパッキン、５６  ワッシャ、５７  第２のホルダ
【図１】
2004266162.tif 000003
【図２】
2004266162.tif 000004
【図３】
2004266162.tif 000005
【図４】
2004266162.tif 000006
【図５】
2004266162.tif 000007
【図６】
2004266162.tif 000008
【図７】
2004266162.tif 000009
【図８】
2004266162.tif 000010
【図９】
2004266162.tif 000011
【図１０】
2004266162.tif 000012
【図１１】
2004266162.tif 000013
【図１２】
2004266162.tif 000014